【手続補正書】
【提出日】平成29年8月22日(2017.8.22)
【手続補正１】
【補正対象書類名】特許請求の範囲
【補正対象項目名】請求項１
【補正方法】変更
【補正の内容】
【請求項１】
袋本体が高分子型帯電防止剤を含有した帯電防止性の熱可塑性合成樹脂からなるものであり、その袋本体の表面固有抵抗値が１０２Ω／Ｓｑ以上かつ１０１１Ω／Ｓｑ未満であること、および、
雌雄一対の開閉具が高分子型帯電防止剤を含有しない熱可塑性合成樹脂からなるものであること、および、
雌雄一対の上記開閉具が、上記袋本体の上端部側に近接してその袋本体の内面に一体形成されていること、および、
被包装物を入れる前の未使用の上記袋本体について、上記袋本体の上端部に閉鎖されたトップシール部が形成されているとともに、上記袋本体の下端部が上記被包装物を入れるために開放されていること、および、
上記袋本体内における上記雌雄一対の開閉具下には、上記袋本体の一方の内面を接着相手とする低接着層を一方の片面側に備えていたり上記袋本体の他方の内面を接着相手とする高接着層を他方の片面側に備えていたりする積層構造のものであって帯状をなす加熱接着用のシール部材が、上記袋本体の両側部にわたり介在され、かつ、当該シール部材による袋内シール部が上記袋本体内の積層接着構造体として上記雌雄一対の開閉具下に設けられていること、および、
上記袋本体の他方の内面を接着相手とする上記シール部材の高接着層については、その接着相手である上記袋本体と同一の熱可塑性合成樹脂からなるものであること、および、  上記袋内シール部における上記シール部材の低接着層は、上記袋本体の一方の内面と対応する接着対応面側に上位の横長非接着部と下位の横長弱接着部とを有していて、このうちの横長弱接着部を介して上記袋本体の一方の内面と弱接着しており、かつ、上記袋本体の一方の内面に対する上記横長弱接着部の弱接着が易剥離性のある接着であること、および、
上記袋内シール部における上記シール部材の高接着層は、上記袋本体の他方の内面と対応する接着対応面側に上位の横長強接着部と下位の横長非接着部とを有していて、このうちの横長強接着部を介して上記袋本体の他方の内面と強接着しており、かつ、上記袋本体の他方の内面に対する上記横長強接着部の強接着によって、当該横長強接着部が上記袋本体の他方の内面と接着一体化していること、および、
上記雌雄一対の開閉具が、上記袋本体のシールされた上端部と上記袋内シール部との間に封じ込められていること、および、
上記シール部材の低接着層については、当該低接着層における横長非接着部と横長弱接着部との寸法関係が［横長非接着部＞横長弱接着部］となっており、かつ、上記シール部材の高接着層については、当該高接着層における横長強接着部と横長非接着部との寸法関係が［横長非接着部＞横長強接着部］となっていること、および、
上記袋本体を上下反転させたときの上記シール部材について、当該シール部材が上記袋本体内に底面部を形成するものであること、および、
上記シール部材で形成される底面部は、開口状態にある下端部側から上記被包装物を袋入れすべく上記袋本体を膨らませたときに、上記横長弱接着部・上記両横長非接着部・上記横長強接着部がクランク曲がり状態を呈して、その両横長非接着部がほぼ水平なフラット面を形成するものであり、かつ、上記シール部材の他方の片面にある上記高接着層の横長非接着部が上記袋本体の下端開放面側を向くものであること
を特徴とする合成樹脂製包装用袋。
【手続補正２】
【補正対象書類名】明細書
【補正対象項目名】００１２
【補正方法】変更
【補正の内容】
【００１２】
本発明に係る合成樹脂製包装用袋は、所期の目的を達成するための課題解決手段として、下記第１項ないし第３項に記載された技術内容を特徴とするものである。
<第１項>
袋本体が高分子型帯電防止剤を含有した帯電防止性の熱可塑性合成樹脂からなるものであり、その袋本体の表面固有抵抗値が１０２Ω／Ｓｑ以上かつ１０１１Ω／Ｓｑ未満であること、および、
雌雄一対の開閉具が高分子型帯電防止剤を含有しない熱可塑性合成樹脂からなるものであること、および、
雌雄一対の上記開閉具が、上記袋本体の上端部側に近接してその袋本体の内面に一体形成されていること、および、
被包装物を入れる前の未使用の上記袋本体について、上記袋本体の上端部に閉鎖されたトップシール部が形成されているとともに、上記袋本体の下端部が上記被包装物を入れるために開放されていること、および、
上記袋本体内における上記雌雄一対の開閉具下には、上記袋本体の一方の内面を接着相手とする低接着層を一方の片面側に備えていたり上記袋本体の他方の内面を接着相手とする高接着層を他方の片面側に備えていたりする積層構造のものであって帯状をなす加熱接着用のシール部材が、上記袋本体の両側部にわたり介在され、かつ、当該シール部材による袋内シール部が上記袋本体内の積層接着構造体として上記雌雄一対の開閉具下に設けられていること、および、
上記袋本体の他方の内面を接着相手とする上記シール部材の高接着層については、その接着相手である上記袋本体と同一の熱可塑性合成樹脂からなるものであること、および、  上記袋内シール部における上記シール部材の低接着層は、上記袋本体の一方の内面と対応する接着対応面側に上位の横長非接着部と下位の横長弱接着部とを有していて、このうちの横長弱接着部を介して上記袋本体の一方の内面と弱接着しており、かつ、上記袋本体の一方の内面に対する上記横長弱接着部の弱接着が易剥離性のある接着であること、および、
上記袋内シール部における上記シール部材の高接着層は、上記袋本体の他方の内面と対応する接着対応面側に上位の横長強接着部と下位の横長非接着部とを有していて、このうちの横長強接着部を介して上記袋本体の他方の内面と強接着しており、かつ、上記袋本体の他方の内面に対する上記横長強接着部の強接着によって、当該横長強接着部が上記袋本体の他方の内面と接着一体化していること、および、
上記雌雄一対の開閉具が、上記袋本体のシールされた上端部と上記袋内シール部との間に封じ込められていること、および、
上記シール部材の低接着層については、当該低接着層における横長非接着部と横長弱接着部との寸法関係が［横長非接着部＞横長弱接着部］となっており、かつ、上記シール部材の高接着層については、当該高接着層における横長強接着部と横長非接着部との寸法関係が［横長非接着部＞横長強接着部］となっていること、および、
上記袋本体を上下反転させたときの上記シール部材について、当該シール部材が上記袋本体内に底面部を形成するものであること、および、
上記シール部材で形成される底面部は、開口状態にある下端部側から上記被包装物を袋入れすべく上記袋本体を膨らませたときに、上記横長弱接着部・上記両横長非接着部・上記横長強接着部がクランク曲がり状態を呈して、その両横長非接着部がほぼ水平なフラット面を形成するものであり、かつ、上記シール部材の他方の片面にある上記高接着層の横長非接着部が上記袋本体の下端開放面側を向くものであること
を特徴とする合成樹脂製包装用袋。
<第２項>
袋本体が高分子型帯電防止剤を含有した帯電防止性の熱可塑性合成樹脂からなるものであり、その袋本体の表面固有抵抗値が１０2Ω／Ｓｑ以上かつ１０１１Ω／Ｓｑ未満であること、および、
雌雄一対の開閉具が高分子型帯電防止剤を含有した静電気減衰性の熱可塑性合成樹脂からなるものであり、その雌雄一対の開閉具の表面固有抵抗値が１０１１Ω／Ｓｑ以上かつ１０１３Ω／Ｓｑ未満であること、および、
雌雄一対の上記開閉具が、上記袋本体の上端部側に近接してその袋本体の内面に一体形成されていること、および、
被包装物を入れる前の未使用の上記袋本体について、上記袋本体の上端部に閉鎖されたトップシール部が形成されているとともに、上記袋本体の下端部が上記被包装物を入れるために開放されていること、および、
上記袋本体内における上記雌雄一対の開閉具下には、上記袋本体の一方の内面を接着相手とする低接着層を一方の片面側に備えていたり上記袋本体の他方の内面を接着相手とする高接着層を他方の片面側に備えていたりする積層構造のものであって帯状をなす加熱接着用のシール部材が、上記袋本体の両側部にわたり介在され、かつ、当該シール部材による袋内シール部が上記袋本体内の積層接着構造体として上記雌雄一対の開閉具下に設けられていること、および、
上記袋本体の他方の内面を接着相手とする上記シール部材の高接着層については、その接着相手である上記袋本体と同一の熱可塑性合成樹脂からなるものであること、および、
上記袋内シール部における上記シール部材の低接着層は、上記袋本体の一方の内面と対応する接着対応面側に上位の横長非接着部と下位の横長弱接着部とを有していて、このうちの横長弱接着部を介して上記袋本体の一方の内面と弱接着しており、かつ、上記袋本体の一方の内面に対する上記横長弱接着部の弱接着が易剥離性のある接着であること、および、
上記袋内シール部における上記シール部材の高接着層は、上記袋本体の他方の内面と対応する接着対応面側に上位の横長強接着部と下位の横長非接着部とを有していて、このうちの横長強接着部を介して上記袋本体の他方の内面と強接着しており、かつ、上記袋本体の他方の内面に対する上記横長強接着部の強接着によって、当該横長強接着部が上記袋本体の他方の内面と接着一体化していること、および、
上記雌雄一対の開閉具が、上記袋本体のシールされた上端部と上記袋内シール部との間に封じ込められていること、および、
上記シール部材の低接着層については、当該低接着層における横長非接着部と横長弱接着部との寸法関係が［横長非接着部＞横長弱接着部］となっており、かつ、上記シール部材の高接着層については、当該高接着層における横長強接着部と横長非接着部との寸法関係が［横長非接着部＞横長強接着部］となっていること、および、
上記袋本体を上下反転させたときの上記シール部材について、当該シール部材が上記袋本体内に底面部を形成するものであること、および、
上記シール部材で形成される底面部は、開口状態にある下端部側から上記被包装物を袋入れすべく上記袋本体を膨らませたときに、上記横長弱接着部・上記両横長非接着部・上記横長強接着部がクランク曲がり状態を呈して、その両横長非接着部がほぼ水平なフラット面を形成するものであり、かつ、上記シール部材の他方の片面にある上記高接着層の横長非接着部が上記袋本体の下端開放面側を向くものであること
を特徴とする合成樹脂製包装用袋。
<第３項>
袋本体が高分子型帯電防止剤を含有した帯電防止性の熱可塑性合成樹脂からなるものであり、その袋本体の表面固有抵抗値が１０2Ω／Ｓｑ以上かつ１０１１Ω／Ｓｑ未満であること、および、
雌雄一対の開閉具が低分子型帯電防止剤を含有した帯電防止性の熱可塑性合成樹脂からなるものであり、その雌雄一対の開閉具の表面固有抵抗値が１０2Ω／Ｓｑ以上かつ１０１１Ω／Ｓｑ未満であること、および、
雌雄一対の上記開閉具が、上記袋本体の上端部側に近接してその袋本体の内面に一体形成されていること、および、
被包装物を入れる前の未使用の上記袋本体について、上記袋本体の上端部に閉鎖されたトップシール部が形成されているとともに、上記袋本体の下端部が上記被包装物を入れるために開放されていること、および、
上記袋本体内における上記雌雄一対の開閉具下には、上記袋本体の一方の内面を接着相手とする低接着層を一方の片面側に備えていたり上記袋本体の他方の内面を接着相手とする高接着層を他方の片面側に備えていたりする積層構造のものであって帯状をなす加熱接着用のシール部材が、上記袋本体の両側部にわたり介在され、かつ、当該シール部材による袋内シール部が上記袋本体内の積層接着構造体として上記雌雄一対の開閉具下に設けられていること、および、
上記袋本体の他方の内面を接着相手とする上記シール部材の高接着層については、その接着相手である上記袋本体と同一の熱可塑性合成樹脂からなるものであること、および、
上記袋内シール部における上記シール部材の低接着層は、上記袋本体の一方の内面と対応する接着対応面側に上位の横長非接着部と下位の横長弱接着部とを有していて、このうちの横長弱接着部を介して上記袋本体の一方の内面と弱接着しており、かつ、上記袋本体の一方の内面に対する上記横長弱接着部の弱接着が易剥離性のある接着であること、および、
上記袋内シール部における上記シール部材の高接着層は、上記袋本体の他方の内面と対応する接着対応面側に上位の横長強接着部と下位の横長非接着部とを有していて、このうちの横長強接着部を介して上記袋本体の他方の内面と強接着しており、かつ、上記袋本体の他方の内面に対する上記横長強接着部の強接着によって、当該横長強接着部が上記袋本体の他方の内面と接着一体化していること、および、
雌雄一対の上記開閉具が、上記袋本体のシールされた上端部と上記袋内シール部との間に封じ込められていること、および、
上記シール部材の低接着層については、当該低接着層における横長非接着部と横長弱接着部との寸法関係が［横長非接着部＞横長弱接着部］となっており、かつ、上記シール部材の高接着層については、当該高接着層における横長強接着部と横長非接着部との寸法関係が［横長非接着部＞横長強接着部］となっていること、および、
上記袋本体を上下反転させたときの上記シール部材について、当該シール部材が上記袋本体内に底面部を形成するものであること、および、
上記シール部材で形成される底面部は、開口状態にある下端部側から上記被包装物を袋入れすべく上記袋本体を膨らませたときに、上記横長弱接着部・上記両横長非接着部・上記横長強接着部がクランク曲がり状態を呈して、その両横長非接着部がほぼ水平なフラット面を形成するものであり、かつ、上記シール部材の他方の片面にある上記高接着層の横長非接着部が上記袋本体の下端開放面側を向くものであること
を特徴とする合成樹脂製包装用袋。